(57)【要約】      （修正有）【課題】像担持体表面に適正量の潤滑剤を塗布する画像転写補助装置を提供する。【解決手段】回転する像担持体３２１の表面に残留したトナーを除去するトナー回収ユニットの像担持体３２１表面への当接圧を、像担持体３２１の回転速度に応じて制御し、トナー回収ユニットの下流側に配置されて、潤滑剤の塊である固形潤滑剤３２６a及び像担持体と当接し、像担持体３２１表面に残留したトナーの量に応じた潤滑剤を、像担持体３２１の回転に対応して固形潤滑剤３２６ａから供給して像担持体３２１の表面に塗布する潤滑剤塗布ローラ３２６ｂを設ける。【選択図】図１１
2015161921.tif 000002
【特許請求の範囲】
【請求項１】
回転する像担持体の表面に形成された顕色剤画像を記録媒体に転写する画像転写装置の画像転写機能を補助する画像転写補助装置であって、
前記像担持体表面に残留した顕色剤を除去する顕色剤除去部と、
前記潤滑剤の塊である潤滑剤塊及び前記像担持体と当接しており、前記潤滑剤塊から供給される前記潤滑剤を前記像担持体表面に塗布する潤滑剤塗布部とを備え、
前記顕色剤除去部は、前記像担持体の回転速度に応じて前記像担持体表面への当接圧が制御され、
前記潤滑剤塗布部は、前記像担持体の回転において前記顕色剤除去部の下流側に配置されており、前記像担持体表面に残留した前記顕色剤の量に応じた潤滑剤を前記像担持体の表面に塗布することを特徴とする画像転写補助装置。
【請求項２】
前記顕色剤除去部は、前記顕色剤画像の顕色剤の量に応じて前記当接圧が制御されることを特徴とする請求項１に記載の画像転写補助装置。
【請求項３】
前記顕色剤除去部は、前記像担持体の駆動量に応じて前記当接圧が制御されることを特徴とする請求項１又は２に記載の画像転写補助装置。
【請求項４】
前記顕色剤除去部は、前記像担持体の回転速度に応じた前記当接圧の制御量が前記像担持体の駆動量に応じて変動するように、前記当接圧が制御されることを特徴とする請求項１乃至３いずれか１項に記載の画像転写補助装置。
【請求項５】
前記顕色剤除去部は、前記像担持体との位置関係が制御されることで、前記当接圧が制御されることを特徴とする請求項１乃至４いずれか１項に記載の画像転写補助装置。
【請求項６】
前記像担持体の回転軸方向からの断面の形状が真円を除く形状を有し、前記前記顕色剤除去部に接しながら前記回転軸と平行な方向を回転軸として回転する回転体を備え、
前記回転体は、前記像担持体の回転速度に応じて回転角が制御され、
前記顕色剤除去部は、前記回転体の回転角の制御により、前記当接圧が制御されることを特徴とする請求項１乃至５いずれか１項に記載の画像転写補助装置。
【請求項７】
請求項１乃至６いずれか１項に記載の画像転写補助装置を備えることを特徴とする画像転写装置。
【請求項８】
回転する像担持体の表面に形成された顕色剤画像を記録媒体に転写する画像転写装置の画像転写機能を補助する画像転写補助方法であって、
回転する前記像担持体の表面に残留した顕色剤を除去する顕色剤除去部の前記像担持体表面への当接圧を前記像担持体の回転速度に応じて制御し、
前記像担持体の回転において前記顕色剤除去部の下流側に配置されて前記潤滑剤の塊である潤滑剤塊及び前記像担持体と当接し、前記像担持体表面に残留した前記顕色剤の量に応じた潤滑剤を前記潤滑剤塊から供給されることで前記像担持体の表面に塗布することを特徴とする画像転写補助方法。
【発明の詳細な説明】
【技術分野】
【０００１】
本発明は、画像転写補助装置、画像転写補助方法に関し、特に、像担持体表面への潤滑剤の塗布に関する。
【背景技術】
【０００２】
近年、電子化された情報の出力に用いられるプリンタやファクシミリ及び書類の複製に用いられる複写機等の画像形成装置は欠かせない機器となっている。このような画像形成装置のうち、電子写真方式を利用した画像形成装置が知られている。
【０００３】
電子写真方式の画像形成装置は、まず、感光体ドラム等の像担持体の表面をレーザ光で帯電させることで静電潜像を作像し、顕色剤である帯電したトナーをその静電潜像に沿って付着させることにより現像することで上記像担持体の表面にトナー画像を作像する。そして、電子写真方式の画像形成装置は、上記像担持体を記録媒体である転写紙の搬送方向に垂直で且つ紙面に平行な方向に回転させることで、その像担持体の表面に形成されたトナー画像を転写紙上に転写する。トナー画像が転写紙上に転写されると、電子写真方式の画像形成装置は、トナー画像が転写された転写紙を加熱しながら加圧することにより、付着されたトナーを上記転写紙に定着させることで画像を形成するようになっている（例えば、特許文献１を参照）。
【０００４】
このように、電子写真方式の画像形成装置は、トナーを一旦トナー画像として像担持体上に付着させ、付着されたそのトナーを転写紙に転写することで転写紙に画像を形成するようになっているが、その際、像担持体上に付着されたトナーの全てが転写紙に転写されるわけではない。そのため、電子写真方式の画像形成装置は、画像形成動作の後、像担持体の表面上に残ったトナー（以下、「残留トナー」とする）をクリーニングする必要がある。
【０００５】
そこで、このような電子写真方式の画像形成装置は、クリーニングブレードのエッジ部分を像担持体の回転方向に対向する向きからその表面に押し当てることにより、そのエッジ部分で像担持体の表面上の残留トナーをクリーニングするようになっている。ところが、電子写真方式の画像形成装置は、このようにして像担持体の表面上の残留トナーをクリーニングする際、像担持体の表面とクリーニングブレードのエッジ部分との間の摩擦により、像担持体の表面上にフィルミング現象が発生したり、クリーニング性能が低下したり、像担持体とクリーニングブレードとの接触部分が激しく摩耗したり、像担持体の表面とクリーニングブレードのエッジ部分とで摩擦音が発生したりする等といった問題がある。
【０００６】
また、上述したように、電子写真方式の画像形成装置は、像担持体の表面をレーザ光で帯電させることにより、その表面に静電潜像を作像するようになっているが、その際の帯電電流により像担持体の表面が消耗するといった問題がある。
【０００７】
そのため、このような電子写真方式の画像形成装置は、像担持体の表面とクリーニングブレードとの間の摩擦力を低下させ、また、像担持体の表面を帯電させる際の電流からその表面を保護するために、像担持体の表面に潤滑剤を塗布して使用される場合がある。このように、電子写真方式の画像形成装置は、像担持体の表面に潤滑剤を塗布することで、上記問題の発生を防止することができるようになっている。
【発明の概要】
【発明が解決しようとする課題】
【０００８】
ところが、このような電子写真方式の画像形成装置において、像担持体の表面に塗布される潤滑剤の量は、像担持体の回転速度に影響するためその回転速度によっては過少になったり過剰になったりすることがある。具体的には、このような電子写真方式の画像形成装置において、像担持体の表面に塗布される潤滑剤の量は、同じ駆動量で比較した場合、像担持体の回転速度が低速であるほど過少になる傾向にあり、像担持体の回転速度が高速であるほど過大になる傾向にある。ここで、駆動量とは、感光体ドラムの回転数や周回距離、駆動時間等である。
【０００９】
そして、このような電子写真方式の画像形成装置は、像担持体の表面に塗布される潤滑剤の量が過少になった場合、上記問題が発生する可能性が大きくなる。一方、このような電子写真方式の画像形成装置は、像担持体の表面に塗布される潤滑剤の量が過剰になった場合、像担持体の表面を帯電させるための帯電ローラの表面にも潤滑剤が付着してしまい帯電不良が発生したり、特に、高湿環境下である場合には、像担持体表面の潤滑剤が吸湿して導電性を帯び、像担持体表面の静電潜像を乱して画像品質の低下を引き起こしたりするといった問題がある。
【００１０】
このように、像担持体の表面に潤滑剤が塗布されて使用される電子写真方式の画像形成装置は、その潤滑剤の量が像担持体の回転速度に影響されるため、像担持体の回転速度によっては過少になったり過剰になったりすることで、上記問題が発生することになる。
【００１１】
本発明は、上記実情を考慮してなされたものであり、像担持体表面に適正量の潤滑剤を塗布することを目的とする。
【課題を解決するための手段】
【００１２】
上記課題を解決するために、回転する像担持体の表面に形成された顕色剤画像を記録媒体に転写する画像転写装置の画像転写機能を補助する画像転写補助装置であって、前記像担持体表面に残留した顕色剤を除去する顕色剤除去部と、前記潤滑剤の塊である潤滑剤塊及び前記像担持体と当接しており、前記潤滑剤塊から供給される前記潤滑剤を前記像担持体表面に塗布する潤滑剤塗布部とを備え、前記顕色剤除去部は、前記像担持体の回転速度に応じて前記像担持体表面への当接圧が制御され、前記潤滑剤塗布部は、前記像担持体の回転において前記顕色剤除去部の下流側に配置されており、前記像担持体表面に残留した前記顕色剤の量に応じた潤滑剤を前記像担持体の表面に塗布することを特徴とする。
【発明の効果】
【００１３】
本発明によれば、像担持体表面に適正量の潤滑剤を塗布することができる。
【図面の簡単な説明】
【００１４】
【図１】本発明の実施形態に係る画像形成装置のハードウェア構成を模式的に示すブロック図である。
【図２】本発明の実施形態に係る画像形成装置の機能構成を模式的に示すブロック図である。
【図３】本発明の実施形態に係る画像形成装置の主走査方向からの断面図である。
【図４】本発明の実施形態に係る画像形成装置に取り付けられている作像ユニットの主走査方向からの断面図である。
【図５】本発明の実施形態に係る画像形成装置に取り付けられている作像ユニットの斜め上からの透過図である。
【図６】従来の感光体ドラム表面への潤滑剤の供給量がその回転速度の変化に応じて変化する様子を示す図である。
【図７】従来の感光体ドラム表面への潤滑剤の供給量がその回転速度の変化に応じて変化する様子示す図である。
【図８】本発明の実施形態に係る感光体ドラム表面への潤滑剤の供給量がその回転速度の変化に応じて変化する様子を示す図である。
【図９】本発明の実施形態に係る感光体ドラム表面への潤滑剤の供給量がその回転速度の変化に応じて変化する様子を示す図である。
【図１０】本発明の実施形態に係る画像形成装置の主走査方向からの断面図である。
【図１１】本発明の実施形態に係る画像形成装置に取り付けられている作像ユニットの斜め上からの斜視図である。
【図１２】本発明の実施形態に係るクリーニングブレードの感光体ドラムへの当接圧を感光体ドラムに形成されるトナー画像の画像面積に応じて変化させる様子を示す図である。
【図１３】本発明の実施形態に係るクリーニングブレードの感光体ドラムへの当接圧を感光体ドラムに形成されるトナー画像の画像面積に応じて変化させる様子を示す図である。
【図１４】本発明の実施形態に係るクリーニングブレードの感光体ドラムへの当接圧を感光体ドラムに形成されるトナー画像の画像濃度に応じて変化させる様子を示す図である。
【図１５】本発明の実施形態に係るクリーニングブレードの感光体ドラムへの当接圧を感光体ドラムに形成されるトナー画像の画像濃度に応じて変化させる様子を示す図である。
【発明を実施するための形態】
【００１５】
以下、図面を参照して、本発明の実施形態を詳細に説明する。本実施形態においては、電子写真方式の画像形成装置を例として説明する。本実施形態に係る画像形成装置は、まず、感光体ドラム等の像担持体の表面をレーザ光で帯電させることで静電潜像を作像し、顕色剤等の帯電したトナーをその静電潜像に沿って付着させることにより現像することで上記像担持体の表面に顕色剤画像としてのトナー画像を作像する。
【００１６】
そして、本実施形態に係る画像形成装置は、上記像担持体を記録媒体である転写紙の搬送方向に垂直で且つ紙面に平行な方向に回転させることで、その像担持体の表面に形成されたトナー画像を転写紙上に転写する。トナー画像が転写紙上に転写されると、本実施形態に係る画像形成装置は、トナー画像が転写された転写紙を加熱しながら加圧することにより、付着されたトナーを上記転写紙に定着させることで画像を形成するようになっている。
【００１７】
また、本実施形態に係る画像形成装置は、画像形成動作の後、クリーニングブレードのエッジ部分を像担持体の回転方向に対向する向きからその表面に押し当てることにより、そのエッジ部分で像担持体の表面上に残留したトナー（以下「残留トナー」とする）をクリーニングするようになっている。これは、本実施形態に係る画像形成装置は、上述したように、トナーを一旦トナー画像として像担持体上に付着させ、付着されたそのトナーを転写紙に転写することで転写紙に画像を形成するようになっているが、その際、像担持体上に付着されたトナーの全てが転写紙に転写されるわけではないためである。
【００１８】
また、本実施形態に係る画像形成装置は、像担持体の表面に潤滑剤を塗布するようになっている。これは、像担持体の表面とクリーニングブレードとの間の摩擦力を低下させることでそれらの摩擦に起因して発生する問題を防止し、また、像担持体の表面を帯電させる際の電流からその表面を保護することでその帯電電流に起因して発生する問題を防止するためである。
【００１９】
このように像担持体の表面に潤滑剤を塗布する画像形成装置において、像担持体の表面に塗布される潤滑剤の量は、像担持体の回転速度に影響するためその回転速度によっては過少になったり過剰になったりすることがある。具体的には、このような画像形成装置において、像担持体の表面に塗布される潤滑剤の量は、同じ駆動量で比較した場合、像担持体の回転速度が低速であるほど過少になる傾向にあり、像担持体の回転速度が高速であるほど過剰になる傾向にある。ここで、駆動量とは、感光体ドラムの回転数や周回距離、駆動時間等である。
【００２０】
そこで、本実施形態に係る画像形成装置は、像担持体の回転速度に応じて変化する像担持体への潤滑剤の供給量を、その回転速度の広い領域において適正量の範囲に保つことを要旨の一つとしている。
【００２１】
まず、本実施形態に係る画像形成装置１のハードウェア構成について図１を参照して説明する。図１は、本実施形態に係る画像形成装置１のハードウェア構成を模式的に示すブロック図である。尚、画像形成装置１は、図１に示すハードウェア構成に加えて、プリンタ、スキャナ、ファクシミリを実現するためのエンジンを備える。
【００２２】
図１に示すように、本実施形態に係る画像形成装置１は、一般的なサーバやＰＣ（Ｐｅｒｓｏｎａｌ  Ｃｏｍｐｕｔｅｒ）等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス９０を介して接続されている。また、Ｉ／Ｆ５０には表示部６０、操作部７０及び専用デバイス８０が接続されている。
【００２３】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２４】
Ｉ／Ｆ５０は、バス９０と各種のハードウェアやネットワーク等を接続し制御する。表示部６０は、ユーザが画像形成装置１の状態を確認するための視覚的ユーザインタフェースであり、ＬＣＤ（Ｌｉｑｕｉｄ  Ｃｒｙｓｔａｌ  Ｄｉｓｐｌａｙ）等の表示装置によって実現される。操作部７０は、キーボードやマウス等、ユーザが画像形成装置１に情報を入力するためのユーザインタフェースである。専用デバイス８０は、プリンタ、スキャナ、ファクシミリにおいて専用の機能を実現するためのハードウェアである。
【００２５】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００２６】
次に、本実施形態に係る画像形成装置１の機能構成について、図２を参照して説明する。図２は、本実施形態に係る画像形成装置１の機能構成を模式的に示すブロック図である。尚、図２においては、電気的接続を実線の矢印で示しており、転写紙若しくは文書束の流れを破線の矢印で示している。
【００２７】
図２に示すように、本実施形態に係る画像形成装置１は、コントローラ１００、給紙テーブル２００、プリントエンジン３００、プリント用排紙トレイ４００、ＡＤＦ（Ａｕｔｏ  Ｄｏｃｕｍｅｎｎｔ  Ｆｅｅｄｅｒ：原稿自動搬送装置）５００、スキャナエンジン６００、スキャン用排紙トレイ７００、ディスプレイパネル８００、ネットワークＩ／Ｆ９００を有する。また、コントローラ１００は、主制御部１１０、エンジン制御部１２０、画像処理部１３０、操作表示制御部１４０及び入出力制御部１５０を有する。
【００２８】
給紙テーブル２００は、画像形成部であるプリントエンジン３００に転写紙を給紙する。プリントエンジン３００は、給紙テーブル２００から搬送されてきた転写紙に対して画像形成出力を実行することにより画像を描画する画像形成部である。本実施形態に係るプリントエンジン３００の具体的態様としては、電子写真方式による画像形成機構である。このプリントエンジン３００により画像が描画された画像形成済みの転写紙は、プリント用排紙トレイ４００に排紙される。プリントエンジン３００は、図１に示す専用デバイス８０によって実現される。
【００２９】
ＡＤＦ５００は、原稿読取部であるスキャナエンジン６００に原稿を自動搬送する。スキャナエンジン６００は、光学情報を電気信号に変換する光電変換素子を含む原稿読取部であり、ＡＤＦ５００により自動搬送されてきた原稿、若しくは、図示しない原稿台ガラスにセットされた原稿を光学的に走査して読み取って画像情報を生成する原稿読取部である。ＡＤＦ５００により自動搬送されてスキャナエンジン６００により読み取られた原稿は、スキャン用排紙トレイ７００に排紙される。ＡＤＦ５００及びスキャナエンジン６００は、図１に示す専用デバイス８０によって実現される。
【００３０】
ディスプレイパネル８００は、画像形成装置１の状態を視覚的に表示する出力インタフェースであると共に、タッチパネルとしてユーザが画像形成装置１を直接操作し若しくは画像形成装置１に対して情報を入力する際の入力インタフェースでもある。即ち、ディスプレイパネル８００は、ユーザによる操作を受けるための画像を表示する機能を含む。ディスプレイパネル８００は、図１に示す表示部６０及び操作部７０によって実現される
【００３１】
ネットワークＩ／Ｆ９００は、画像形成装置１がネットワークを介して管理者用端末やＰＣ（Ｐｅｒｓｏｎａｌ  Ｃｏｍｐｕｔｅｒ）等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェース、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）等のインタフェースが用いられる。このように、本実施形態に係る画像形成装置１は、ネットワークＩ／Ｆ９００を介して接続された端末から印刷依頼の画像データや、印刷要求などの各種制御コマンドを受信する。ネットワークＩ／Ｆ９００は、図１に示すＩ／Ｆ５０によって実現される。
【００３２】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像形成装置１全体を制御する制御部として機能する。
【００３３】
主制御部１１０は、コントローラ１００に含まれる各部を制御する役割を担い、コントローラ１００の各部に命令を与える。また、主制御部１１０は、入出力制御部１５０を制御し、ネットワークＩ／Ｆ９００及びネットワークを介して他の装置にアクセスする。エンジン制御部１２０は、プリントエンジン３００、スキャナエンジン６００等の駆動部を制御し若しくは駆動させる。
【００３４】
画像処理部１３０は、主制御部１１０の制御に従い、ＰＤＬ（Ｐａｇｅ  Ｄｅｓｃｒｉｐｔｉｏｎ  Ｌａｎｇｕａｇｅ）等により記述された画像情報、例えば、入力された印刷ジョブに含まれる文書データ若しくは画像データに基づいて描画情報を出力情報として生成する。この描画情報とは、ＣＭＹＫ（Ｃｙａｎ  Ｍｇｅｎｔａ  Ｙｅｌｌｏｗ  Ｋｅｙ  Ｐｌａｔｅ）のビットマップデータ等の情報であり、画像形成部であるプリントエンジン３００が画像形成動作において形成すべき画像を描画するための情報である。
【００３５】
また、画像処理部１３０は、スキャナエンジン６００から入力される撮像データを処理し、画像データを生成する。この画像データとは、スキャナ動作の結果物として画像形成装置１に格納され若しくはネットワークＩ／Ｆ９００及びネットワークを介して他の機器に送信される情報である。尚、本実施形態に係る画像形成装置１は、画像情報の代わりに描画情報が直接入力され、直接入力された描画情報に基づいて画像形成出力を実行することも可能である。
【００３６】
操作表示制御部１４０は、ディスプレイパネル８００に情報表示を行い若しくはディスプレイパネル８００を介して入力された情報を主制御部１１０に通知する。入出力制御部１５０は、ネットワークＩ／Ｆ９００及びネットワークを介して入力される信号や命令を主制御部１１０に入力する。
【００３７】
次に、本実施形態に係るプリントエンジン３００の詳細な構成について、図３〜図５を参照して説明する。図３は、本実施形態に係る画像形成装置１の主走査方向からの断面図である。図４は、本実施形態に係る画像形成装置１に取り付けられている作像ユニット３２０の主走査方向からの断面図である。図５は、本実施形態に係る画像形成装置１に取り付けられている作像ユニット３２０の斜め上からの透過図である。
【００３８】
図３に示すように、本実施形態に係る画像形成装置１は、給紙テーブル２００から給紙された転写紙２に対してプリントエンジン３００により画像を形成した後、プリント用排紙トレイ４００に排紙する構成を備えるものである。
【００３９】
また、図３に示すように、本実施形態に係るプリントエンジン３００は、無端状搬送手段３１０に沿って各色の各作像ユニット３２０が並べられた構成を備えるものであり、所謂タンデムタイプといわれるものである。即ち、本実施形態に係るプリントエンジン３００は、駆動ローラ３１２と従動ローラ３１３とに架け渡された搬送ベルト３１１に沿って、この搬送ベルト３１１の搬送方向の上流側から順に、複数の作像ユニット、Ｃ版作像ユニット３２０Ｃ、Ｍ版作像ユニット３２０Ｍ、Ｙ版作像ユニット３２０Ｙ、Ｋ版作像ユニット３２０Ｋが配列されて構成されている。
【００４０】
これら複数の作像ユニット３２０Ｃ、３２０Ｍ、３２０Ｙ、３２０Ｋは、形成するトナー画像の色が異なるだけで内部構成は共通である。Ｃ版作像ユニット３２０Ｃはシアンの画像を、Ｍ版作像ユニット３２０Ｍはマゼンタの画像を、Ｙ版作像ユニット３２０Ｙはイエローの画像を、Ｋ版作像ユニット３２０Ｋはブラックの画像をそれぞれ形成する。尚、以下の説明においては、Ｃ版作像ユニット３２０Ｃについて具体的に説明するが、他の作像ユニット３２０Ｍ、３２０Ｙ、３２０ＫはＣ版作像ユニット３２０Ｃと同様であるので、その他の作像ユニット３２０Ｍ、３２０Ｙ、３２０Ｋの各構成要素については、Ｃ版作像ユニット３２０Ｃの各構成要素に付したＣに替えて、Ｍ、Ｙ、Ｋによって区別した符号を図に表示するにとどめ、説明を省略する。
【００４１】
搬送ベルト３１１は、ポリイミドやポリアミド等の耐熱性材料により構成され、回転駆動される駆動ローラ３１２と従動ローラ３１３とに架け渡されたエンドレスのベルト、即ち、無端状ベルトであって、各作像ユニット、Ｃ版作像ユニット３２０Ｃ、Ｍ版作像ユニット３２０Ｍ、Ｙ版作像ユニット３２０Ｙ、Ｋ版作像ユニット３２０Ｋによって中間転写画像が形成される中間転写ベルトである。駆動ローラ３１２は、不図示の駆動モータにより回転駆動させられ、この駆動モータと、駆動ローラ３１２と、従動ローラ３１３とが搬送ベルト３１１を移動させる。
【００４２】
Ｃ版作像ユニット３２０Ｃは、搬送ベルト３１１にシアンの中間転写画像を作像する。尚、図４及び図５に示すように、Ｃ版作像ユニット３２０Ｃは、感光体としての感光体ドラム３２１Ｃ、この感光体ドラム３２１Ｃの周囲に配置された帯電ユニット３２２Ｃ、現像ユニット３２３Ｃ、除電器３２４Ｃ、トナー回収ユニット３２５Ｃ、潤滑剤塗布ユニット３２６Ｃ、潤滑剤均一化ブレード３２７Ｃを備える。このＣ版作像ユニット３２０Ｃは、それぞれが独立して構成されていても良いが、帯電ユニット３２２Ｃ、現像ユニット３２３Ｃ、除電器３２４Ｃ、トナー回収ユニット３２５Ｃ、潤滑剤塗布ユニット３２６Ｃ、潤滑剤均一化ブレード３２７Ｃの少なくとも一つと感光体ドラム３２１Ｃとが一体的に構成され、画像形成装置１から着脱自在なプロセスカートリッジとして構成されていても良い。即ち、本実施形態においては、Ｃ版作像ユニット３２０Ｃが、画像転写機能を提供する画像転写装置として機能する。
【００４３】
このように構成されたＣ版作像ユニット３２０Ｃは、画像形成に先だって、潤滑剤塗布ユニット３２６Ｃにより潤滑剤を感光体ドラム３２１Ｃの表面上に塗布し、塗布された潤滑剤を潤滑剤均一化ブレード３２７Ｃにより均一な厚さになるように均して感光体ドラム３２１Ｃの表面上に定着させる。この感光体ドラム３２１Ｃは、アルミニウム製の円筒状基体と、その表面を覆う感光層とから構成されており回転駆動する。感光層は、例えば、有機感光体（ＯＰＣ：Ｏｒｇａｎｉｃ  Ｐｈｏｔｏｃｏｎｄｕｃｔｏｒ）からなる。
【００４４】
このとき、感光体ドラム３２１Ｃの表面上に塗布された紛体状の潤滑剤は、塗布直後においては感光体ドラム３２１Ｃの表面との付着力が弱いが、潤滑剤均一化ブレード３２７Ｃにより均されることで徐々に薄層化されてより細かい紛体となり、徐々に感光体ドラム３２１Ｃの表面との付着力が増していき定着する。尚、本実施形態に係る紛体状の潤滑剤の粒径は、感光体ドラム３２１Ｃの表面への塗布直後においては数十μｍ〜数百μｍ程度であり、本実施形態に係るトナーの粒径よりも大きい。
【００４５】
このように、画像形成に先だって感光体ドラム３２１Ｃの表面上に潤滑剤を塗布する理由としては、感光体ドラム３２１Ｃの表面上とこれに接触する機構部との間の摩擦係数を低下させることで、感光体ドラム３２１Ｃの表面上にフィルミング現象が発生することを抑制するためであったり、感光体ドラム３２１Ｃと上記機構部との上記接触部の摩耗を低減させるためであったり、トナー回収ユニット３２５Ｃが感光体ドラム３２１Ｃの表面上に残留したトナーを回収する際の効率を向上させるためであったり、像担持体の表面とクリーニングブレードのエッジ部分とで摩擦音が発生したりする等といった問題を防止するためである。
【００４６】
また、この他、画像形成に先だって感光体ドラム３２１Ｃの表面上に潤滑剤を塗布する理由としては、帯電ユニット３２２Ｃが感光体ドラム３２１Ｃの表面を帯電させる際の電流からその表面を保護することで、その際の帯電電流により感光体ドラム３２１Ｃの表面が消耗するといった問題を防止するためである。
【００４７】
そして、感光体ドラム３２１Ｃの表面上に塗布された潤滑剤は、継時的に、若しくは、感光体ドラム３２１Ｃの駆動に伴って劣化や消耗が進行するが、その分は新たに潤滑剤塗布ユニット３２６Ｃから塗布されることで、継続的に潤滑剤塗布による効果が得られる。
【００４８】
尚、図４に示すように、本実施形態に係る潤滑剤塗布ユニット３２６Ｃは、感光体ドラム３２１Ｃの回転方向においてトナー回収ユニット３２５よりも下流側に配置され、作像ユニット３２０Ｃよりも上流側に配置されている。また、図４に示すように、本実施形態に係る潤滑剤塗布ユニット３２６Ｃは、固形潤滑剤３２６ａ、潤滑剤塗布ローラ３２６ｂ、固形潤滑剤押圧スプリング３２６ｃを備える。
【００４９】
固形潤滑剤３２６ａは、ステアリン酸亜鉛ＺｎＳｔが最も一般的であるが、本実施形態においては脂肪酸金属塩、即ち、金属石鹸に無機潤滑剤を添加したものが好ましい。
【００５０】
潤滑剤塗布ローラ３２６ｂは、感光体ドラム３２１Ｃに対向する位置に配置され、感光体ドラム３２１Ｃ及び固形潤滑剤３２６ａに接触しながら感光体ドラム３２１Ｃに従動して回転することで固形潤滑剤３２６ａを削り取り、削り取った潤滑剤を感光体ドラム３２１に塗布する。即ち、本実施形態においては、潤滑剤塗布ローラ３２６ｂ、潤滑剤塗布部として機能し、固形潤滑剤３２６ａが、潤滑剤塊として使用される。潤滑剤塗布ローラ３２６ｂの芯材は、鉄、アルミ、ステンレス等の金属や、エポキシ樹脂、フェノール樹脂等の樹脂等から構成される丸棒状の軸であれば良いが、感光体ドラム３２１に潤滑剤を塗布する機能を発揮するのに必要な所望の強度を有するものであれば、材質、形状、大きさ、構造等は特に制限されるものではない。
【００５１】
固形潤滑剤押圧スプリング３２６ｃは、固形潤滑剤３２６ａを潤滑剤塗布ローラ３２６ｂに押し付けるための押圧力を発生する圧縮スプリングである。このように、本実施形態においては、固形潤滑剤３２６ａを潤滑剤塗布ローラ３２６ｂに押し付けるために圧縮スプリングにより発生する押圧力を利用する例について説明するが、この他、引張スプリングとカムとにより発生する押圧力や、錘による発生する押圧力を利用するように構成されていても良い。尚、機能、スペース、コストのバランスから、圧縮スプリングにより発生する押圧力を利用することが好適である。
【００５２】
尚、図６に示すように、従来の画像形成装置において、潤滑剤塗布ニットにより感光体ドラムの表面に供給される潤滑剤の量は、同じ駆動量であっても、感光体ドラムの回転速度によって変化する。具体的には、図６に示すように、従来の画像形成装置において、潤滑剤塗布ユニットから感光体ドラムの表面に供給される潤滑剤の量は、同じ駆動量であっても、感光体ドラムの回転速度が低速度領域にある場合、その低速度領域の広い領域で適正量の範囲に達せずに過少になる傾向にある。また、図６に示すように、従来の画像形成装置において、潤滑剤塗布ユニットから感光体ドラムの表面に供給される潤滑剤の量は、同じ駆動量であっても、感光体ドラムの回転速度が高速度領域にある場合、その高速度領域の広い領域で適正量の範囲を超えて過剰になる傾向にある。
【００５３】
そのため、図６に示すように、従来の画像形成装置は、同じ駆動量であっても、感光体ドラムの回転速度の狭い領域でしか適正な量の潤滑剤を供給することができない。例えば、図７に示すように、来の画像形成装置において、潤滑剤塗布ニットにより感光体ドラムの表面に供給される潤滑剤の量は、感光体ドラムの回転速度が所定の閾値を超えた高速度領域にある場合には過剰になり、所定の閾値未満である低速度領域にある場合には過少になる。
【００５４】
従って、図６に示すように、従来の画像形成装置において、潤滑剤塗布ユニットから感光体ドラムの表面に供給される潤滑剤の量は、同じ駆動量であっても、感光体ドラムの回転速度の広い領域において適正量の範囲に達せずに過少になったり、反対に、その範囲を超えて過剰になったりする場合がある。
【００５５】
そして、感光体ドラムの表面に供給される潤滑剤の量が過少になった場合、感光体ドラムの表面とクリーニングブレードのエッジ部分との間の摩擦により、感光体ドラムの表面上にフィルミング現象が発生したり、クリーニング性能が低下したり、感光体ドラムとクリーニングブレードとの接触部分が激しく摩耗したり、感光体ドラムの表面とクリーニングブレードのエッジ部分とで摩擦音が発生したりする等といった問題が生じる可能性が高くなる。また、感光体ドラムの表面に供給される潤滑剤の量が過少になった場合、像担持体の表面をレーザ光で帯電させる際の帯電電流により像担持体の表面が消耗するといった問題がある。
【００５６】
一方、感光体ドラムの表面に供給される潤滑剤の量が過剰になった場合、像担持体の表面を帯電させるための帯電ローラの表面にも潤滑剤が付着してしまい帯電不良が発生したり、特に、高湿環境下である場合には、像担持体表面の潤滑剤が吸湿して導電性を帯び、像担持体表面の静電潜像を乱して画像品質の低下を引き起こしたりするといった問題がある。
【００５７】
そこで、本実施形態に係る画像形成装置１は、図８に示すように、潤滑塗布ユニット３２６Ｃによる感光体ドラム３２１Ｃへの潤滑剤の供給量を、感光体ドラム３２１Ｃの回転速度の広い領域において適正量の範囲に保つように構成されていることを要旨の一つとしている。このように、本実施形態に係る画像形成装置１は、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能であるため、上記問題の発生を抑制することが可能となる。
【００５８】
例えば、図９に示すように、本実施形態に係る画像形成装置１において、潤滑剤塗布ニット３２６Ｃにより感光体ドラム３２１Ｃの表面に供給される潤滑剤の量は、感光体ドラム３２１Ｃの回転速度が所定の閾値を超えた高速度領域の場合であっても過剰になることがなく、また、所定の閾値未満である低速度領域の場合であっても過少になることがない。
【００５９】
このように、本実施形態に係る画像形成装置１において、潤滑塗布ユニット３２６Ｃによる感光体ドラム３２１Ｃへの潤滑剤の供給量は、感光体ドラム３２１Ｃの回転速度の広い領域において適正量の範囲に保たれることになる。尚、潤滑剤塗布ユニット３２６Ｃによる感光体ドラム３２１Ｃへの潤滑剤の供給量を、感光体ドラム３２１Ｃの回転速度の広い領域において適正量の範囲に保つための具体的な方法については後述する。
【００６０】
そして、上記のようにして感光体ドラム３２１Ｃの表面上に潤滑剤が塗布されると、Ｃ版作像ユニット３２０Ｃは、画像形成に際してシアンの中間転写画像を搬送ベルト３１１に形成する。即ち、Ｃ版作像ユニット３２０Ｃは、画像形成に際してまず、感光体ドラム３２１Ｃの表面を暗中にて帯電ユニット３２２Ｃにより一様に帯電させる。そして、Ｃ版作像ユニット３２０Ｃは、一様に帯電した感光体ドラム３２１Ｃへ光書き込み装置３３０Ｃからシアン画像に対応した光を照射させることにより静電的に書き込みを行い、感光体ドラム３２１Ｃの表面にシアン画像に対応した静電潜像を形成する。
【００６１】
尚、本実施形態に係る光書き込み装置３３０Ｃは、レーザーダイオードを備えた光源から照射される光をポリゴンミラー等によって反射させ、反射された光を順次、感光体ドラム３２１Ｃに走査することで、感光体ドラム３２１Ｃに対して静電的に書き込みを行う。
【００６２】
また、図４に示すように、本実施形態に係る帯電ユニット３２２Ｃは、帯電ローラ３２２ａ、帯電ローラクリーナ３２２ｂを備える。帯電ローラ３２２ａは、帯電バイアスが印加されて感光体ドラム３２１Ｃの表面に近接することで、印加された帯電バイアスの作用により感光体ドラム３２１Ｃの表面を一様に帯電させる。
【００６３】
帯電ローラクリーナ３２２ｂは、帯電ローラ３２２ａに当接することで、帯電ローラ３２２ａの表面上の汚れを除去する。このように、帯電ローラ３２２ａの表面上の汚れを除去する理由として、帯電ローラ３２２ａの表面が汚れた場合、汚れが付着した部分の帯電能力が落ち、感光体ドラム３２１Ｃを狙いの電位に帯電させることができなくなり、帯電不良による異常画像が発生することを防ぐためである。
【００６４】
この帯電ローラクリーナ３２２ｂとして、金属軸に繊維を静電植毛した植毛ローラや、金属軸の回りにメラミン樹脂を配したメラミンローラ等が用いられるが、比較的長期間使用可能なメラミンローラが使用される場合が多い。尚、帯電ローラ３２２ａと帯電ローラクリーナ３２２ｂとの間でスリップが発生すると、汚れを帯電ローラ３２２ｂの表面に擦りつけてしまい、汚れによる異常画像の発生が加速してしまう。従って、帯電ローラ３２２ａと帯電ローラクリーナ３２２ｂとは連れ回るように構成されている。
【００６５】
帯電ローラ３２２ａは、一般的に、非接触式であるスコロトロン方式やコロトロン方式、中抵抗ゴムローラを用いる接触ローラ帯電方式、非接触ローラ帯電方式等が利用されている。本実施形態に係る帯電ローラ３２２ａは、非接触ローラ帯電方式が採用されているが、他の方式であってもよい。尚、接触式ローラ帯電方式、非接触ローラ帯電方式ともに、直流に対して交流を重畳する方法と、直流のみを印加する方法とがある。
【００６６】
接触ローラ帯電方式及び非接触帯電ローラ方式において直流に交流を重畳する場合には、直流のみに比べて高画質を得ることができるが、感光体ドラム３２１にフィルミング現象が発生しやすくなる。また、交流を定電流制御すれば、環境変化による帯電ローラ３２２ａの抵抗値変動によって与える感光体帯電電位への影響を小さくできるという利点があるが、電源コストが高くなり、また、交流高周波の音が問題となる可能性がある。一方、直流のみを印加する場合には、環境変化による帯電ローラの抵抗値変動が感光体帯電電位に影響を与えるため、この影響を軽減するために環境変化に応じて帯電バイアスを補正する等の対策が必要となる。
【００６７】
このように、接触帯電ローラ方式と非接触帯電ローラ方式とを比較した場合、非接触帯電ローラ方式は、交流を定電流制御すると、感光体表面と帯電ローラとのギャップ変動の影響で画像にムラが生じやすく、そのため、この影響を軽減するために帯電バイアスを補正する等の対策が必要となる。一方、非接触帯電ローラ方式は、接触帯電ローラ方式に比べて、帯電ローラが感光体表面に接触していない分だけ、帯電ローラが汚れにくい。
【００６８】
尚、帯電バイアスを補正する方法としては、帯電ローラ３２２ａ近傍の温度を検知して帯電バイアスを変化させる方法、感光体ドラム３２１の表面上の地汚れを定期的に検知して帯電バイアスを変化させる方法、帯電バイアスのフィードバック電流値によって帯電バイアスを変化させる方法等がある。また、帯電ローラ３２２ａの駆動方式としては、感光体ギヤ等からの駆動力を帯電ローラ３２２ａに伝達して帯電ローラ３２２ａを回転駆動させる方式等があるが、上述したように、接触帯電ローラ方式であれば、帯電ローラ３２２ａを感光体ドラム３２１の表面に当接させ、感光体ドラム３２１の表面の移動により帯電ローラ３２２ａを連れ回り回転させる方式を採用することも可能である。
【００６９】
そして、上記のようにして感光体ドラム３２１Ｃの表面にシアン画像に対応した静電潜像が形成されると、Ｃ版作像ユニット３２０Ｃは、現像ユニット３２３Ｃによりこの静電潜像をシアントナーで可視像化することにより感光体ドラム３２１Ｃの表面上にシアンのトナー画像を形成する。
【００７０】
尚、図４及び図５に示すように、本実施形態に係る現像ユニット３２３Ｃは、トナー搬送スクリュー３２３ａ、トナー搬送スクリュー３２３ｂ、現像スリーブ３２３ｃを備える。現像スリーブ３２３ｃは、感光体ドラム３２３Ｃと対向する位置に配置され、内部で磁界を発生することで、感光体ドラム３２１Ｃに付着させるためのトナーを担持するトナー担持体としての役割を担う。
【００７１】
トナー搬送スクリュー３２３ａ及び３２３ｂは、現像スリーブ３２３ｃの下方に配置され、夫々が互いに反対の方向に回転することにより、トナーボトル３５０Ｃから不図示のトナー供給機構により供給されるシアントナーをキャリアと共に攪拌しながら主走査方向の全体に行き渡るように搬送する。このとき、トナー搬送スクリュー３２３ａにより現像ユニット３２３ｃの端部まで搬送されたトナー及びキャリアは、他方のトナー搬送スクリュー３２３ｂに受け渡され、トナー搬送スクリュー３２３ｂにより現像ユニット３２３ｃのもう一方の端部まで搬送されたトナー及びキャリアは、他方のトナー搬送スクリュー３２３ａに受け渡されることで現像ユニット３２３Ｃ内において主走査方向の全体に行き渡るように循環搬送される。
【００７２】
そして、トナー搬送スクリュー３２３ｂにより搬送されているトナーは、現像スリーブ３２３ｃ内部で発生する磁界によりその表面に汲み上げられて付着し、現像スリーブ３２３ｃの回転に伴って搬送され、不図示のドクターブレードにより所定の層厚に規制された後、感光体ドラム３２３Ｃと対向する位置（以下、「現像位置」とする）まで搬送される。
【００７３】
このようにして、感光体ドラム３２１Ｃと対向する位置まで搬送されてきたトナーは、現像スリーブ３２３ｃと感光体ドラム３２１Ｃとの間で発生する現像バイアスの作用により、現像位置において、感光体ドラム３２１Ｃの表面に形成されたシアン画像に対応した静電潜像へ静電的に移動して感光体ドラム３２１Ｃの表面に付着する。このようにして、現像ユニット３２３Ｃは、静電潜像をシアントナーで可視像化することにより感光体ドラム３２１Ｃの表面上にシアンのトナー画像を形成する。尚、本実施形態においては、二成分現像方式の例について説明するが、一成分現像方式であっても良い。
【００７４】
Ｃ版作像ユニット３２０Ｃは、このトナー画像を、感光体ドラム３２１Ｃと搬送ベルト３１１とが当接若しくは最も接近する位置（以下、「前段転写位置」とする）で、一次転写ローラ３４０Ｃを不図示の付勢部材によって感光体ドラム３２１Ｃに押し当てることで搬送ベルト３１１上に転写する。
【００７５】
この転写により、搬送ベルト３１１上にはシアンのトナーによる画像、即ち、シアンの中間転写画像が形成される。尚、このとき、一次転写ローラ３４０Ｃには転写バイアスが印加され、その転写バイアスによって前段転写位置における感光体ドラム３２１Ｃと一次転写ローラ３４０Ｃの間で転写電界が形成されており、この転写電界の作用により感光体ドラム３２１Ｃから搬送ベルト３１１にトナー画像が転写される。
【００７６】
Ｃ版作像ユニット３２０Ｃは、シアンの中間転写画像を搬送ベルト３１１に形成し終えると、感光体ドラム３２１Ｃの表面上に残留したトナー（以下、「残留トナー」とする）をトナー回収ユニット３２５Ｃにより回収した後、感光体ドラム３２１Ｃの表面を除電器３２４Ｃにより除電し、次の画像形成のための準備、例えば、トナーボトル３５０Ｃから不図示のトナー供給機構により現像ユニット３２３Ｃへシアンのトナーの補給等を行って待機する。このトナーボトル３５０Ｃは、画像形成装置１の上部に形成されるプリント用排紙トレイ４００を開くことにより、画像形成装置１から脱着可能なように構成されている。尚、トナーボトル３５０Ｃから現像ユニット３２３Ｃへのトナーの補給は、画像形成動作の直後でなくとも所定のタイミングで必要に応じて行われる。
【００７７】
尚、図４に示すように、本実施形態に係るトナー回収ユニット３２５Ｃは、クリーニングブレード３２５ａ、回収トナー搬送スクリュー３２５ｂ、回収トナー搬送路３２５ｃを備える。
【００７８】
クリーニングブレード３２５ａは、ウレタンゴム等の弾性を有する素材により構成されたエッジ部分が、感光体ドラム３２１Ｃの回転方向に対向する向きからその表面に押し当てられることにより、そのエッジ部分で感光体ドラム３２１Ｃの表面上に残留したトナーを掻きとり、掻きとったトナーを回収トナー搬送路３２５ｃ内に回収する。即ち、本実施形態においては、クリーニングブレード３２５ａが、像担持体の表面に残留した顕色剤を除去する顕色剤除去部として機能する。
【００７９】
回収トナー搬送スクリュー３２５ｂは、回収トナー搬送路３２５ｃ内に回収されたトナー（以下、「回収トナー」とする）を回収トナー搬送路３２５ｃに沿って搬送する。このようにして搬送される回収トナーは、廃棄されたトナーを収納するための容器である不図示の廃棄トナー収納容器３２６に向かって搬送されて廃棄され、若しくは、現像ユニット３２３Ｃに向かって搬送されて再利用される。
【００８０】
このとき、トナー回収ユニット３２５Ｃにより残留トナーが回収される際、その残留トナーの全てが回収されるわけではない。そのため、回収されずに感光体ドラム３２１Ｃの表面上に残留したままのトナー（以下、「回収漏れトナー」とする）はそのまま、感光体ドラム３２１Ｃの回転に伴って潤滑剤塗布ローラ３２６ｂと対向する位置まで搬送され、その一部が潤滑剤塗布ローラ３２６ｂの表面に付着することになる。そして、潤滑剤塗布ローラ３２６ｂの表面に付着したトナーは、潤滑剤塗布ローラ３２６ｂが固形潤滑剤３２６ａから潤滑剤を削り取るための研磨剤として機能することになる。そのため、本実施形態に係る画像形成装置１は、回収漏れトナーの量が多いほど、潤滑剤塗布ユニット３２６Ｃからより多くの潤滑剤を感光体ドラム３２１Ｃの表面に供給することが可能となる。
【００８１】
従って、本実施形態に係る画像形成装置１は、回収漏れトナーの量を制御することができれば、潤滑剤塗布ユニット３２６Ｃから感光体ドラム３２１Ｃの表面に供給される潤滑剤の量を制御することが可能となる。特に、本実施形態に係る画像形成装置１は、回収漏れトナーの量を感光体ドラム３２１Ｃの回転速度に応じて制御することができれば、潤滑剤塗布ユニット３２６Ｃから感光体ドラム３２１Ｃの表面に供給される潤滑剤の量をその回転速度に応じて制御することができることになる。
【００８２】
そこで、本実施形態に係る画像形成装置１は、このことを利用して、潤滑剤塗布ユニット３２６Ｃによる感光体ドラム３２１Ｃへの潤滑剤の供給量を、感光体ドラム３２１Ｃの回転速度の広い領域において適正量の範囲に保つことを要旨の一つとしている。
【００８３】
即ち、本実施形態に係る画像形成装置１は、感光体ドラム３２１Ｃの回転速度が高速になるほど、回収漏れトナーの量が少なくなるように制御することで、潤滑剤供給ユニット３２６Ｃから感光体ドラム３２１Ｃの表面に供給される潤滑剤の量が過剰となることを防ぐように構成されている。これにより、本実施形態に係る画像形成装置１は、感光体ドラム３２１Ｃの回転速度が高速になっても適切量の潤滑剤を感光体ドラム３２１Ｃの表面に塗布することが可能となる。
【００８４】
反対に、本実施形態に係る画像形成装置１は、感光体ドラム３２１Ｃの回転速度が低速になるほど、回収漏れトナーの量が多くなるように制御することで、潤滑剤供給ユニット３２６Ｃから感光体ドラム３２１Ｃの表面に供給される潤滑剤の量が過少となることを防ぐように構成されている。これにより、本実施形態に係る画像形成装置１は、感光体ドラム３２１Ｃの回転速度が低速になっても適切量の潤滑剤を感光体ドラム３２１Ｃの表面に塗布することが可能となる。
【００８５】
このように、本実施形態に係る画像形成装置１は、回収漏れトナーの量を感光体ドラム３２１Ｃの回転速度に応じて制御することで、潤滑剤塗布ユニット３２６Ｃから感光体ドラム３２１Ｃの表面に供給される潤滑剤の量を制御するように構成されている。これにより、本実施形態に係る画像形成装置１は、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能となる。
【００８６】
本実施形態に係る画像形成装置１は、このように、潤滑塗布ユニット３２６Ｃによる感光体ドラム３２１Ｃへの潤滑剤の供給量を、感光体ドラム３２１Ｃの回転速度の広い領域において適正量の範囲に保つことが可能であるため、図６及び図７を参照して説明した問題の発生を抑制することが可能となる。尚、潤滑塗布ユニット３２６Ｃによる感光体ドラム３２１Ｃへの潤滑剤の供給量を、感光体ドラム３２１Ｃの回転速度の広い領域において適正量の範囲に保つための具体的な方法については後述する。
【００８７】
以上のようにして、Ｃ版作像ユニット３２０Ｃにより搬送ベルト３１１上に転写されたシアンのトナーによる画像、即ち、シアンの中間転写画像は、駆動モータと駆動ローラ３１２と従動ローラ３１３とにより搬送ベルト３１１を移動させることで次のＭ版作像ユニット３２０Ｍに搬送される。Ｍ版作像ユニット３２０Ｍは、Ｃ版作像ユニット３２０Ｃでの画像形成プロセスと同様のプロセスにより感光体ドラム３２１Ｍ上にマゼンタのトナー画像を形成し、そのマゼンタのトナー画像を既に形成されたシアンの中間転写画像に重畳して搬送ベルト３１１上に転写する。この転写により、搬送ベルト３１１上にはマゼンタのトナーによる画像、即ち、マゼンタの中間転写画像が形成される。このようにして、搬送ベルト３１１上にシアンとマゼンタとの中間転写画像が形成される。
【００８８】
搬送ベルト３１１上に形成されたシアン、マゼンタの中間転写画像は、さらに次の作像ユニット、Ｙ版作像ユニット３２０Ｙ、Ｋ版作像ユニット３２０Ｋに順次搬送され、同様の動作により、感光体ドラム３２１Ｙ上に形成されたイエローのトナー画像と、感光体ドラム３２１Ｋ上に形成されたブラックのトナー画像とが、既に形成されている中間転写画像に重畳されて搬送ベルト３１１上に転写される。この転写により、搬送ベルト３１１上にはイエローのトナーによる画像とブラックのトナーによる画像、即ち、イエローとブラックとの中間転写画像が形成される。こうして、搬送ベルト３１１上にフルカラーの中間転写画像が形成される。
【００８９】
このようにして搬送ベルト３１１上にフルカラーの中間転写画像が形成されると、給紙テーブル２００に収納された転写紙２が最も上のものから順に給紙ローラ２１０と分離ローラ対２２０とにより分離給紙されてレジストローラ対２３０に向かって送り出される。そして、転写紙２は、レジストローラ対２３０でスキューが修正された後、レジストローラ対２３０により搬送ベルト３１１の搬送タイミングに合わせてその搬送経路上において転写紙２と搬送ベルト３１１とが接触する位置若しくは最も接近する位置（以下、「後段転写位置」とする）に搬送される。
【００９０】
このようにして搬送された転写紙２は、後段転写位置において二次転写ローラ３６０が不図示の付勢部材によって従動ローラ３１３に押し当てられることで、搬送ベルト３１１上に形成されているフルカラーの中間転写画像が転写される。これにより、転写紙２の紙面上に画像が形成される。紙面上に画像が形成された転写紙２は、更に搬送されて定着ユニット３７０にて画像形成面に垂直な方向から挟み込まれて加熱されながら加圧されることにより画像が定着された後、排紙ローラ対４１０によりプリント用排紙トレイ４００に排紙される。
【００９１】
尚、本実施形態に係る定着ユニット３７０は、画像形成面に垂直な方向から転写紙２を挟み込みながら回転することにより転写紙２を搬送しつつ加圧するための定着ローラ対３７１を備える。また、定着ローラ対３７１の定着面上には加熱素子が備えられており、本実施形態に係る定着ユニット３７０は、この定着ローラ対３７１により転写紙２を加熱するようになっている。このように、本実施形態に係る定着ユニット３７０は、定着ローラ対３７１により転写紙２を画像形成面に垂直な方向から挟み込むことで加熱しながら加圧し、画像を定着するようになっている。
【００９２】
ベルトクリーナー３８０は、後段転写位置の下流側であってＣ版作像ユニット３２０Ｃよりも上流側において搬送ベルト３１１に押し当てられたクリーニングブレードにより搬送ベルト３１１の表面に付着したトナーを掻きとることで、搬送ベルト３１１をクリーニングする。
【００９３】
このように、本実施形態においては、無端状搬送手段３１０、作像ユニット３２０、光書き込み装置３３０、一次転写ローラ３４０、トナーボトル３５０、二次転写ローラ３６０、定着ユニット３７０、ベルトクリーナー３８０によりプリントエンジン３００が構成される。
【００９４】
また、図３に示したように、本実施形態においては、中間転写画像が搬送ベルト３１１上に形成されてその中間転写画像が転写紙に転写される方式、即ち、間接転写方式の画像形成装置を例にして説明するが、図１０に示すように、転写紙に画像が直接形成される方式、即ち、直接転写方式の画像形成装置であっても適用可能である。
【００９５】
次に、本実施形態に係るトナー回収ユニット３２５の詳細な構成について、図４及び図１１を参照して説明する。図４は、上述したように、本実施形態に係る画像形成装置１に取り付けられている作像ユニット３２０の主走査方向からの断面図である。図１１は、本実施形態に係る画像形成装置１に取り付けられている作像ユニット３２０の斜め上からの斜視図である。
【００９６】
図４及び図１１に示すように、本実施形態に係るトナー回収ユニット３２５は、上述したクリーニングブレード３２５ａ、回収トナー搬送スクリュー３２５ｂ、回収トナー搬送路３２５ｃの他に、クリーニングブレード位置制御ローラ３２５ｄを備える。
【００９７】
クリーニングブレード３２５ａは、上述したように、エッジ部分が感光体ドラム３２１Ｃの回転方向に対向する向きからその表面に押し当てられることにより、そのエッジ部分で感光体ドラム３２１Ｃの表面上に残留したトナーを掻きとるが、その他の特徴的な構成として、主走査方向に垂直な方向に移動可能なように構成されている。また、このクリーニングブレード３２５ａは、不図示の付勢部材によりその移動方向に対してクリーニングブレード位置制御ローラ３２５ｄに押し付けられて支持されている。
【００９８】
クリーニングブレード位置制御ローラ３２５ｄは、感光体ドラム３２１Ｃの回転軸方向からの、即ち、主走査方向からの断面の形状が真円を除く形状を有し、エンジン制御部１２０の回転角の制御により、押し付けられているクリーニングブレード３２５ａを支持しながら主走査方向と平行な方向を回転軸として回転することで、クリーニングブレード３２５ａの移動を制御する。即ち、本実施形態に係るクリーニングブレード位置制御ローラ３２５ｄは、主走査方向と平行な方向を回転軸として回転することで、クリーニングブレード３２５ａと感光体ドラム３２１Ｃとの位置関係を制御することが可能なように構成されている。本実施形態において、クリーニングブレード３２５ａと感光体ドラム３２１Ｃとの位置関係とは、例えば、クリーニングブレード３２５ａのエッジ部分の感光体ドラム３２１Ｃへの当接角や、クリーニングブレード３２５ａと感光体ドラム３２１Ｃとの距離等である。
【００９９】
本実施形態に係るクリーニングブレード位置制御ローラ３２５ｄは、このように、クリーニングブレード３２５ａと感光体ドラム３２１Ｃとの位置関係を制御することで、クリーニングブレード３２５ａの感光体ドラム３２１Ｃの表面への当接圧を制御することが可能となっている。そして、本実施形態に係るクリーニングブレード位置制御ローラ３２５ｄは、このようにして、クリーニングブレード３２５ａの感光体ドラム３２１Ｃの表面への当接圧を制御することで、潤滑剤塗布ユニット３２６Ｃから感光体ドラム３２１Ｃの表面に供給される潤滑剤の量を制御することが可能になる。即ち、本実施形態においては、クリーニングブレード３２５ａ及び潤滑剤塗布ユニット３２６Ｃが、画像転写補助装置として機能する。特に、図４及び図１１に示す例では、クリーニングブレード３２５ａ及び潤滑剤塗布ユニット３２６Ｃに加え、回転体として機能するクリーニングブレード位置制御ローラ３２５ｄが、画像転写補助装置として機能する。
【０１００】
このように、本実施形態に係るクリーニングブレード位置制御ローラ３２５ｄが、上記当接圧を制御することで、潤滑剤塗布ユニット３２６Ｃから感光体ドラム３２１Ｃの表面に供給される潤滑剤の量を制御することが可能になる理由は、上記当接圧に応じて、クリーニングブレード３２５ａと感光体ドラム３２１Ｃとの間をすり抜けて感光体ドラム３２１Ｃの表面上に残留するトナー（回収漏れトナー）の量が変化するためである。
【０１０１】
具体的には、上記当接圧が小さいほど、クリーニングブレード３２５ａと感光体ドラム３２１Ｃとの間をすり抜けて感光体ドラム３２１Ｃの表面上に残留するトナー（回収漏れトナー）の量は多くなる傾向にある。一方、上記当接圧が大きいほど、クリーニングブレード３２５ａと感光体ドラム３２１Ｃとの間をすり抜けて感光体ドラム３２１Ｃの表面上に残留するトナー（回収漏れトナー）の量は小さくなる傾向にある。
【０１０２】
このように、本実施形態に係るクリーニングブレード位置制御ローラ３２５ｄは、主走査方向と平行な方向を回転軸として回転することで、潤滑剤塗布ユニット３２６Ｃから感光体ドラム３２１Ｃの表面に供給される潤滑剤の量を制御することが可能なように構成されている。
【０１０３】
その上で、本実施形態に係る画像形成装置１は、エンジン制御部１２０の制御により、感光体ドラム３２１Ｃの回転速度に応じてクリーニングブレード位置制御ローラ３２５ｄの回転を制御することで、その回転速度に応じて上記当接圧を制御するように構成されている。これにより、本実施形態に係る画像形成装置１は、感光体ドラム３２１Ｃの回転速度に応じて潤滑剤塗布ユニット３２６Ｃから感光体ドラム３２１Ｃの表面に供給される潤滑剤の量を制御することが可能となっている。
【０１０４】
特に、本実施形態に係る画像形成装置１は、感光体ドラム３２１Ｃの回転速度が高速になるほど上記当接圧が大きくなるようにクリーニングブレード位置制御ローラ３２５ｄの回転を制御することで、潤滑剤塗布ユニット３２６Ｃから感光体ドラム３２１Ｃの表面に供給される潤滑剤の量が少なくなるように制御するように構成されている。これにより、本実施形態に係る画像形成装置１は、感光体ドラム３２１Ｃの回転速度が高速になっても、潤滑剤供給ユニット３２６Ｃから感光体ドラム３２１Ｃの表面に供給される潤滑剤の量が過剰となることを防ぎ、適切量の潤滑剤を感光体ドラム３２１Ｃの表面に塗布することが可能となる。
【０１０５】
一方、本実施形態に係る画像形成装置１は、感光体ドラム３２１Ｃの回転速度が低速になるほど上記当接圧が小さくなるようにクリーニングブレード位置制御ローラ３２５ｄの回転を制御することで、潤滑剤塗布ユニット３２６Ｃから感光体ドラム３２１Ｃの表面に供給される潤滑剤の量が多くなるように制御するように構成されている。これにより、本実施形態に係る画像形成装置１は、感光体ドラム３２１Ｃの回転速度が低速になっても、潤滑剤供給ユニット３２６Ｃから感光体ドラム３２１Ｃの表面に供給される潤滑剤の量が過少となることを防ぎ、適切量の潤滑剤を感光体ドラム３２１Ｃの表面に塗布することが可能となる。
【０１０６】
これにより、本実施形態に係る画像形成装置１は、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能となる。
【０１０７】
尚、クリーニングブレード３２５ａと感光体ドラム３２１Ｃとの間をすり抜けて感光体ドラム３２１Ｃの表面上に残留したトナー（回収漏れトナー）であって、潤滑剤塗布ローラ３２６ｂにも付着しなったトナーは、潤滑剤均一化ローラ３２７により堰き止められるため、次以降の画像形成動作に影響を与えることはない。
【０１０８】
以上、説明したように、本実施形態に係る画像形成装置１は、感光体ドラム３２１Ｃの回転速度に応じてクリーニングブレード３２５ａの感光体ドラム３２１Ｃの表面への当接圧を制御することで、その回転速度に応じて潤滑剤供給ユニット３２６Ｃから感光体ドラム３２１Ｃの表面に供給される潤滑剤の量を制御することを要旨の一つとしている。
【０１０９】
具体的には、本実施形態に係る画像形成装置１は、感光体ドラム３２１Ｃの回転速度が低速になるほど上記当接圧が小さくなるように制御することで、回転速度が低速になっても、潤滑剤供給ユニット３２６Ｃから感光体ドラム３２１Ｃの表面に供給される潤滑剤の量が過少となることを防ぎ、適切量の潤滑剤を感光体ドラム３２１Ｃの表面に塗布することが可能となる。
【０１１０】
一方、本実施形態に係る画像形成装置１は、感光体ドラム３２１Ｃの回転速度が高速になるほど上記当接圧が大きくなるように制御することで、回転速度が高速になっても、潤滑剤供給ユニット３２６Ｃから感光体ドラム３２１Ｃの表面に供給される潤滑剤の量が過剰となることを防ぎ、適切量の潤滑剤を感光体ドラム３２１Ｃの表面に塗布することが可能となる。
【０１１１】
これにより、本実施形態に係る画像形成装置１は、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能となる。
【０１１２】
尚、本実施形態においては、感光体ドラム３２１Ｃの回転速度に応じてクリーニングブレード３２５ａの感光体ドラム３２１Ｃの表面への当接圧を制御することで、その回転速度に応じて潤滑剤供給ユニット３２６Ｃから感光体ドラム３２１Ｃの表面に供給される潤滑剤の量を制御する例について説明した。さらに、これに加えて、図１２や図１３に示すように、感光体ドラム３２１Ｃに形成されるトナー画像の画像面積に応じてクリーニングブレード３２５ａの感光体ドラム３２１Ｃの表面への当接圧を制御することで、その画像面積に応じて潤滑剤供給ユニット３２６Ｃから感光体ドラム３２１Ｃの表面に供給される潤滑剤の量を制御するように構成されていても良い。
【０１１３】
このように構成された場合、本実施形態に係る画像形成装置１は、図１２や図１３に示すようなテーブルをＲＯＭ３０やＨＤＤ４０に予め記憶しておき、クリーニングブレード３２５ａの感光体ドラム３２１Ｃの表面への当接圧を制御する度に上記テーブルを参照することで、クリーニングブレード位置制御ローラ３２５ｄの回転を制御するようになっている。
【０１１４】
このように感光体ドラム３２１Ｃに形成されるトナー画像の画像面積に応じてクリーニングブレード３２５ａの感光体ドラム３２１Ｃの表面への当接圧を制御する理由は、感光体ドラム３２１Ｃに形成されるトナー画像の画像面積に応じて回収漏れトナーの量が変化するため、その結果、潤滑剤塗布ニット３２６Ｃにより感光体ドラム３２１Ｃの表面に供給される潤滑剤の量が変化するためである。
【０１１５】
具体的には、本実施形態に係る画像形成装置１は、感光体ドラム３２１Ｃに形成されるトナー画像の画像面積が大きいほど回収漏れトナーの量が増加する傾向にあるため、その結果、潤滑剤塗布ニット３２６Ｃにより感光体ドラム３２１Ｃの表面に供給される潤滑剤の量が増加する傾向にあるためである。一方、本実施形態に係る画像形成装置１は、感光体ドラム３２１Ｃに形成されるトナー画像の画像面積が小さいほど回収漏れトナーの量が減少する傾向にあるため、その結果、潤滑剤塗布ニット３２６Ｃにより感光体ドラム３２１Ｃの表面に供給される潤滑剤の量が減少する傾向にあるためである。
【０１１６】
そこで、本実施形態に係る画像形成装置１は、図１２や図１３に示すように、感光体ドラム３２１Ｃに形成されるトナー画像の画像面積が大きいほどクリーニングブレード３２５ａの感光体ドラム３２１Ｃの表面への当接圧が小さくなるように制御することで、その画像面積が小さくなっても潤滑剤供給ユニット３２６Ｃから感光体ドラム３２１Ｃの表面に供給される潤滑剤の量が過少となることを防ぎ、適切量の潤滑剤を感光体ドラム３２１Ｃの表面に塗布することが可能となる。
【０１１７】
また、本実施形態に係る画像形成装置１は、図１２や図１３に示すように、感光体ドラム３２１Ｃに形成されるトナー画像の画像面積が小さいほどクリーニングブレード３２５ａの感光体ドラム３２１Ｃの表面への当接圧が大きくなるように制御することで、その画像面積が大きくなっても潤滑剤供給ユニット３２６Ｃから感光体ドラム３２１Ｃの表面に供給される潤滑剤の量が過剰となることを防ぎ、適切量の潤滑剤を感光体ドラム３２１Ｃの表面に塗布することが可能となる。
【０１１８】
このように、本実施形態に係る画像形成装置１は、感光体ドラム３２１Ｃに形成されるトナー画像の画像面積に応じてクリーニングブレード３２５ａの感光体ドラム３２１Ｃの表面への当接圧を制御することで、その画像面積の大小によらず、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能となる。
【０１１９】
また、本実施形態においては、感光体ドラム３２１Ｃの回転速度に応じてクリーニングブレード３２５ａの感光体ドラム３２１Ｃの表面への当接圧を制御することで、その回転速度に応じて潤滑剤供給ユニット３２６Ｃから感光体ドラム３２１Ｃの表面に供給される潤滑剤の量を制御する例について説明した。さらに、これに加えて、図１４や図１５に示すように、感光体ドラム３２１Ｃに形成されるトナー画像の画像濃度に応じてクリーニングブレード３２５ａの感光体ドラム３２１Ｃの表面への当接圧を制御することで、その画像濃度に応じて潤滑剤供給ユニット３２６Ｃから感光体ドラム３２１Ｃの表面に供給される潤滑剤の量を制御するように構成されていても良い。
【０１２０】
このように構成された場合、本実施形態に係る画像形成装置１は、図１４や図１５に示すようなテーブルをＲＯＭ３０やＨＤＤ４０に予め記憶しておき、クリーニングブレード３２５ａの感光体ドラム３２１Ｃの表面への当接圧を制御する度に上記テーブルを参照することで、クリーニングブレード位置制御ローラ３２５ｄの回転を制御するようになっている。
【０１２１】
このように感光体ドラム３２１Ｃに形成されるトナー画像の画像濃度に応じてクリーニングブレード３２５ａの感光体ドラム３２１Ｃの表面への当接圧を制御する理由は、感光体ドラム３２１Ｃに形成されるトナー画像の画像濃度に応じて回収漏れトナーの量が変化するため、その結果、潤滑剤塗布ニット３２６Ｃにより感光体ドラム３２１Ｃの表面に供給される潤滑剤の量が変化するためである。
【０１２２】
具体的には、本実施形態に係る画像形成装置１は、感光体ドラム３２１Ｃに形成されるトナー画像の画像濃度が大きいほど回収漏れトナーの量が増加する傾向にあるため、その結果、潤滑剤塗布ニット３２６Ｃにより感光体ドラム３２１Ｃの表面に供給される潤滑剤の量が増加する傾向にあるためである。一方、本実施形態に係る画像形成装置１は、感光体ドラム３２１Ｃに形成されるトナー画像の画像濃度が小さいほど回収漏れトナーの量が減少する傾向にあるため、その結果、潤滑剤塗布ニット３２６Ｃにより感光体ドラム３２１Ｃの表面に供給される潤滑剤の量が減少する傾向にあるためである。
【０１２３】
そこで、本実施形態に係る画像形成装置１は、図１４や図１５に示すように、感光体ドラム３２１Ｃに形成されるトナー画像の画像濃度が大きいほどクリーニングブレード３２５ａの感光体ドラム３２１Ｃの表面への当接圧が小さくなるように制御することで、その画像濃度が小さくなっても潤滑剤供給ユニット３２６Ｃから感光体ドラム３２１Ｃの表面に供給される潤滑剤の量が過少となることを防ぎ、適切量の潤滑剤を感光体ドラム３２１Ｃの表面に塗布することが可能となる。
【０１２４】
また、本実施形態に係る画像形成装置１は、図１４や図１５に示すように、感光体ドラム３２１Ｃに形成されるトナー画像の画像濃度が小さいほどクリーニングブレード３２５ａの感光体ドラム３２１Ｃの表面への当接圧が大きくなるように制御することで、その画像濃度が大きくなっても潤滑剤供給ユニット３２６Ｃから感光体ドラム３２１Ｃの表面に供給される潤滑剤の量が過剰となることを防ぎ、適切量の潤滑剤を感光体ドラム３２１Ｃの表面に塗布することが可能となる。
【０１２５】
このように、本実施形態に係る画像形成装置１は、感光体ドラム３２１Ｃに形成されるトナー画像の画像濃度に応じてクリーニングブレード３２５ａの感光体ドラム３２１Ｃの表面への当接圧を制御することで、その画像濃度の大小によらず、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能となる。
【０１２６】
また、本実施形態においては、感光体ドラム３２１Ｃの回転速度に応じてクリーニングブレード３２５ａの感光体ドラム３２１Ｃの表面への当接圧を制御することで、その回転速度に応じて潤滑剤供給ユニット３２６Ｃから感光体ドラム３２１Ｃの表面に供給される潤滑剤の量を制御する例について説明した。さらに、これに加えて、感光体ドラム３２１Ｃの駆動量に応じてクリーニングブレード３２５ａの感光体ドラム３２１Ｃの表面への当接圧を制御することで、その駆動量に応じて潤滑剤供給ユニット３２６Ｃから感光体ドラム３２１Ｃの表面に供給される潤滑剤の量を制御するように構成されていても良い。ここで、感光体ドラム３２１Ｃの駆動量とは、感光体ドラム３２１Ｃの回転数や周回距離、駆動時間等である。
【０１２７】
このように感光体ドラム３２１Ｃの駆動量に応じてクリーニングブレード３２５ａの感光体ドラム３２１Ｃの表面への当接圧を制御する理由は、感光体ドラム３２１Ｃの駆動量に応じてクリーニングブレード３２５ａのエッジ部分の感光体ドラム３２１Ｃへの接触部分の磨耗が変化するためである。そして、感光体ドラム３２１Ｃの駆動量に応じて上記接触部分の摩耗が変化すると、回収漏れトナーの量が変化するため、その結果、潤滑剤塗布ニット３２６Ｃにより感光体ドラム３２１Ｃの表面に供給される潤滑剤の量が変化するためである。即ち、感光体ドラム３２１Ｃの駆動量が大きくなるほど上記接触部分が摩耗して、クリーニングブレード３２５ａと感光体ドラム３２１Ｃの間をすり抜けるトナーの量が増えるため、どの回転速度においても初期の頃よりも当接圧を大きくする必要があるためである。
【０１２８】
具体的には、本実施形態に係る画像形成装置１は、感光体ドラム３２１Ｃの駆動量が大きいほど上記接触部分の磨耗が大きくなり、回収漏れトナーの量が増加する傾向にあるため、その結果、潤滑剤塗布ニット３２６Ｃにより感光体ドラム３２１Ｃの表面に供給される潤滑剤の量が増加する傾向にあるためである。一方、本実施形態に係る画像形成装置１は、感光体ドラム３２１Ｃの駆動量が小さいほど上記接触部分の磨耗が小さくなり、回収漏れトナーの量が減少する傾向にあるため、その結果、潤滑剤塗布ニット３２６Ｃにより感光体ドラム３２１Ｃの表面に供給される潤滑剤の量が減少する傾向にあるためである。
【０１２９】
そこで、本実施形態に係る画像形成装置１は、感光体ドラム３２１Ｃの駆動量が大きいほどクリーニングブレード３２５ａの感光体ドラム３２１Ｃの表面への当接圧が大きくなるように制御することで、その駆動量が多くなることで上記接触部分の磨耗が大きくなっても潤滑剤供給ユニット３２６Ｃから感光体ドラム３２１Ｃの表面に供給される潤滑剤の量が過剰となることを防ぎ、適切量の潤滑剤を感光体ドラム３２１Ｃの表面に塗布することが可能となる。
【０１３０】
また、本実施形態に係る画像形成装置１は、感光体ドラム３２１Ｃの駆動量が小さいほどクリーニングブレード３２５ａの感光体ドラム３２１Ｃの表面への当接圧が小さくなるように制御することで、その駆動量が少ないことで上記接触部分の磨耗が小さい場合であっても潤滑剤供給ユニット３２６Ｃから感光体ドラム３２１Ｃの表面に供給される潤滑剤の量が過少となることを防ぎ、適切量の潤滑剤を感光体ドラム３２１Ｃの表面に塗布することが可能となる。
【０１３１】
このように、本実施形態に係る画像形成装置１は、感光体ドラム３２１Ｃの駆動量に応じてクリーニングブレード３２５ａの感光体ドラム３２１Ｃの表面への当接圧を制御することで、その駆動量の多少によらず、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能となる。
【０１３２】
また、本実施形態においては、感光体ドラム３２１Ｃの回転速度に応じてクリーニングブレード３２５ａの感光体ドラム３２１Ｃの表面への当接圧を制御することで、その回転速度に応じて潤滑剤供給ユニット３２６Ｃから感光体ドラム３２１Ｃの表面に供給される潤滑剤の量を制御する例について説明した。さらに、これに加えて、感光体ドラム３２１Ｃの駆動量に応じてクリーニングブレード３２５ａの感光体ドラム３２１Ｃの表面への当接圧の制御量を変化させることで、その駆動量に応じて潤滑剤供給ユニット３２６Ｃから感光体ドラム３２１Ｃの表面に供給される潤滑剤の、感光体ドラム３２１Ｃの回転速度の変化による制御量を変動させるように構成されていても良い。
【０１３３】
このように感光体ドラム３２１Ｃの駆動量に応じてクリーニングブレード３２５ａの感光体ドラム３２１Ｃの表面への当接圧の制御量を変動させる理由は、感光体ドラム３２１Ｃの駆動量に応じてクリーニングブレード３２５ａのエッジ部分の感光体ドラム３２１Ｃへの接触部分の磨耗が変化するためである。そして、感光体ドラム３２１Ｃの駆動量に応じて上記接触部分の摩耗が変化すると、感光体ドラム３２１Ｃの回転速度の変化による回収漏れトナーの量の変化量が変動するため、その結果、潤滑剤塗布ニット３２６Ｃにより感光体ドラム３２１Ｃの表面に供給される潤滑剤の、感光体ドラム３２１Ｃの回転速度の変化による変化量が変動するためである。即ち、感光体ドラム３２１Ｃの駆動量が大きくなるほど上記接触部分が摩耗して、クリーニングブレード３２５ａと感光体ドラム３２１Ｃの間をすり抜けるトナーの量が増えるため、感光体ドラム３２１Ｃの回転速度に応じた制御量を小さくする必要があるためである。
【０１３４】
具体的には、本実施形態に係る画像形成装置１は、感光体ドラム３２１Ｃの駆動量が大きいほど上記接触部分の磨耗が大きくなり、感光体ドラム３２１Ｃの回転速度の変化による回収漏れトナーの量の変化量が減少する傾向にあるため、その結果、潤滑剤塗布ニット３２６Ｃにより感光体ドラム３２１Ｃの表面に供給される潤滑剤の、感光体ドラム３２１Ｃの回転速度の変化による変化量が減少する傾向にあるためである。一方、本実施形態に係る画像形成装置１は、感光体ドラム３２１Ｃの駆動量が小さいほど上記接触部分の磨耗が小さくなり、感光体ドラム３２１Ｃの回転速度の変化による回収漏れトナーの量の変化量が増加する傾向にあるため、その結果、潤滑剤塗布ニット３２６Ｃにより感光体ドラム３２１Ｃの表面に供給される潤滑剤の、感光体ドラム３２１Ｃの回転速度の変化による変化量が増加する傾向にあるためである。
【０１３５】
そこで、本実施形態に係る画像形成装置１は、感光体ドラム３２１Ｃの駆動量が大きいほど、クリーニングブレード３２５ａの感光体ドラム３２１Ｃの表面への当接圧の感光体ドラム３２１Ｃの回転速度の変化による制御量が小さくなるように制御することで、その駆動量が多くなることで上記接触部分の磨耗が大きくなっても潤滑剤供給ユニット３２６Ｃから感光体ドラム３２１Ｃの表面に供給される潤滑剤の量が過少となることを防ぎ、適切量の潤滑剤を感光体ドラム３２１Ｃの表面に塗布することが可能となる。
【０１３６】
また、本実施形態に係る画像形成装置１は、感光体ドラム３２１Ｃの駆動量が小さいほど、クリーニングブレード３２５ａの感光体ドラム３２１Ｃの表面への当接圧の感光体ドラム３２１Ｃの回転速度の変化による制御量が大きくなるように制御することで、その駆動量が少ないことで上記接触部分の磨耗が小さい場合であっても潤滑剤供給ユニット３２６Ｃから感光体ドラム３２１Ｃの表面に供給される潤滑剤の量が過剰となることを防ぎ、適切量の潤滑剤を感光体ドラム３２１Ｃの表面に塗布することが可能となる。
【０１３７】
このように、本実施形態に係る画像形成装置１は、感光体ドラム３２１Ｃの駆動量に応じて感光体ドラム３２１Ｃの回転速度の変化によるクリーニングブレード３２５ａの感光体ドラム３２１Ｃの表面への当接圧の制御量を変化させることで、その駆動量の多少によらず、潤滑剤塗布ユニット３２６Ｃによる感光体ドラム３２１Ｃへの潤滑剤の供給量を、感光体ドラム３２１Ｃの回転速度の広い領域において適正量の範囲に保つことが可能となる。
【０１３８】
また、本実施形態に係る画像形成装置１は、クリーニングブレード位置制御ローラ３２５ｄの回転を制御することで、クリーニングブレード３２５ａの移動を制御する例について説明したが、クリーニングブレード３２５ａの移動を制御することができる構成であればどのような構成であっても良い。
【０１３９】
また、本実施形態に係る画像形成装置１は、クリーニングブレード位置制御ローラ３２５ｄの回転を制御することで、クリーニングブレード３２５ａの感光体ドラム３２１Ｃの表面への当接圧を制御する例について説明したが、例えば、感光体ドラム３２１Ｃが移動する等して、上記当接圧を制御することができる構成であればどのような構成であっても良い。
【符号の説明】
【０１４０】
１  画像形成装置
２  転写紙
１０  ＣＰＵ
２０  ＲＡＭ
３０  ＲＯＭ
４０  ＨＤＤ
５０  Ｉ／Ｆ
６０  表示部
７０  操作部
８０  専用デバイス
９０  バス
１１０  主制御部
１２０  エンジン制御部
１３０  画像処理部
１４０  操作表示制御部
１５０  入出力制御部
２００  給紙テーブル
２１０  給紙ローラ
２２０  分離ローラ対
２３０  レジストローラ対
３００  プリントエンジン
３１０  無誕生搬送手段
３１１  搬送ベルト
３１２  駆動ローラ
３１３  従動ローラ
３１４  第一のテンションローラ
３１５  第二のテンションローラ
３２０  作像ユニット
３２１  感光体ドラム
３２２  帯電ユニット
３２２ａ  帯電ローラ
３２２ｂ  帯電ローラクリーナ
３２３  現像ユニット
３２３ａ  第一のトナー搬送スクリュー
３２３ｂ  第二のトナー搬送スクリュー
３２３ｃ  現像ローラ
３２４  除電器
３２５  トナー回収ユニット
３２５ａ  クリーニングブレード
３２５ｂ  回収トナー搬送スクリュー
３２５ｃ  回収トナー搬送路
３２５ｄ  クリーニングブレード位置制御ローラ
３２６  潤滑剤塗布ユニット
３２６ａ  固形潤滑剤
３２６ｂ  潤滑剤塗布ローラ
３２６ｃ  固形潤滑剤押圧スプリング
３２７  潤滑剤均一化ブレード
３３０  光書き込み装置
３４０  二次転写ローラ
３５０  トナーボトル
３６０  二次転写ローラ
３７０  定着ユニット
３７１  定着ローラ対
３８０  ベルトクリーナー
４００  プリント用排紙トレイ
４１０  排紙ローラ対
５００  ＡＤＦ
６００  スキャナエンジン
７００  スキャン用排紙トレイ
８００  ディスプレイパネル
９００  ネットワークＩ／Ｆ
【先行技術文献】
【特許文献】
【０１４１】
【特許文献１】特開２００６−１５４４１２号公報
【図１】
2015161921.tif 000003
【図２】
2015161921.tif 000004
【図３】
2015161921.tif 000005
【図４】
2015161921.tif 000006
【図５】
2015161921.tif 000007
【図６】
2015161921.tif 000008
【図７】
2015161921.tif 000009
【図８】
2015161921.tif 000010
【図９】
2015161921.tif 000011
【図１０】
2015161921.tif 000012
【図１１】
2015161921.tif 000013
【図１２】
2015161921.tif 000014
【図１３】
2015161921.tif 000015
【図１４】
2015161921.tif 000016
【図１５】
2015161921.tif 000017